【手続補正書】
【提出日】平成16年3月30日(2004.3.30)
【手続補正１】
【補正対象書類名】特許請求の範囲
【補正対象項目名】全文
【補正方法】変更
【補正の内容】
【特許請求の範囲】
【請求項１】
骨折した骨に髄内釘固定処置を実施するための方法であって、
トロカールの先端部を、内視鏡下で皮膚切開部及び皮下組織を介して前記骨折した骨の釘進入位置まで進めるステップと、
前記骨折した骨の前記釘進入位置を準備するべく器具を前記トロカールのカニューレを介して挿入するステップと、
髄内釘を前記皮膚切開部から前記釘進入位置を経て前記骨折した骨の中に移植するステップとを含むことを特徴とする方法。
【請求項２】
前記骨折した骨の前記釘進入位置を準備するべく器具を前記トロカールのカニューレを介して挿入する前記ステップが、内視鏡下で前記器具を進めることを含むことを特徴とする請求項１に記載の方法。
【請求項３】
更に、前記トロカールの先端部を進める前記ステップの際に、前記トロカールの前記カニューレ内に内視鏡を配置するステップを含むことを特徴とする請求項１に記載の方法。
【請求項４】
前記骨折した骨の前記釘進入位置を準備するべく前記器具を前記トロカールのカニューレを介して挿入する前記ステップが、前記トロカールの前記カニューレを介して突きぎりを挿入することを含むことを特徴とする請求項１に記載の方法。
【請求項５】
前記骨折した骨の前記釘進入位置を準備するべく前記器具を前記トロカールのカニューレを介して挿入する前記ステップが、前記トロカールの前記カニューレを介して骨ドリルを挿入することを含むことを特徴とする請求項１に記載の方法。
【請求項６】
前記骨折した骨の前記釘進入位置を準備するべく前記器具を前記トロカールのカニューレを介して挿入する前記ステップが、前記トロカールの前記カニューレを介してガイドワイヤを挿入することを含むことを特徴とする請求項１に記載の方法。
【請求項７】
前記骨折した骨の前記釘進入位置を準備するべく前記器具を前記トロカールのカニューレを介して挿入する前記ステップの際に、内視鏡を前記トロカールの前記カニューレ内に配置することを特徴とする請求項１に記載の方法。
【請求項８】
骨を採集する処置を実施するための方法であって、
トロカールの先端部を皮膚切開部から皮下組織を介してドナーの骨の採集位置まで進めるステップと、
前記ドナーの骨から骨移植材料を除去するべく器具を前記トロカールのカニューレを介して挿入するステップとを含むことを特徴とする方法。
【請求項９】
前記トロカールの先端部を進める前記ステップが、内視鏡下で前記トロカールの前記先端部を進めることを含むことを特徴とする請求項８に記載の方法。
【請求項１０】
更に、前記トロカールの先端部を進める前記ステップの際に、前記トロカールの前記カニューレ内に内視鏡を配置するステップを含むことを特徴とする請求項８に記載の方法。
【請求項１１】
前記ドナーの骨から骨移植材料を除去するべく前記器具を前記トロカールのカニューレを介して挿入する前記ステップが、前記トロカールの前記カニューレを介して骨きりのみを進めることを含むことを特徴とする請求項８に記載の方法。
【請求項１２】
前記ドナーの骨から骨移植材料を除去するべく前記器具を前記トロカールのカニューレを介して挿入する前記ステップが、内視鏡下で前記ドナーの骨から前記骨移植材料を除去することを含むことを特徴とする請求項８に記載の方法。
【請求項１３】
更に、前記トロカールの先端部を進める前記ステップの際に、前記トロカールの前記カニューレ内に前記内視鏡を配置するステップを含むことを特徴とする請求項１２に記載の方法。
【請求項１４】
骨盤骨切り術を実施するための方法であって、
トロカールの先端部を皮膚切開部及び皮下組織を介して股関節骨に近接した位置まで進めるステップと、
前記股関節骨の一部を切除するべく器具を前記トロカールのカニューレを介して挿入するステップとを含むことを特徴とする方法。
【請求項１５】
前記トロカールの先端部を進める前記ステップが、内視鏡下で前記トロカールの先端部を進めることを含むことを特徴とする請求項１４に記載の方法。
【請求項１６】
更に、前記トロカールの先端部を進める前記ステップの際に、前記トロカールの前記カニューレ内に内視鏡を配置するステップを含むことを特徴とする請求項１４に記載の方法。
【請求項１７】
前記股関節骨の一部を切除するべく器具を前記トロカールのカニューレを介して挿入する前記ステップが、内視鏡下で前記股関節骨を切除することを含むことを特徴とする請求項１４に記載の方法。
【請求項１８】
更に、前記股関節骨を切除する際に、前記トロカールの前記カニューレ内に内視鏡を配置するステップを含むことを特徴とする請求項１４に記載の方法。
【請求項１９】
整形外科修正処置を実施するための方法であって、
骨の髄腔から材料を除去するステップと、
骨の前記髄腔内に内視鏡を配置するステップとを含むことを特徴とする方法。
【請求項２０】
前記除去するステップが、前記内視鏡が前記髄腔内に配置されているときに実施されることを特徴とする請求項１９に記載の方法。
【請求項２１】
前記除去するステップが、内視鏡下で実施されることを特徴とする請求項１９に記載の方法。
【請求項２２】
前記除去するステップが、前記骨の前記髄腔から骨セメント材料を除去することを含むことを特徴とする請求項１９に記載の方法。
【請求項２３】
前記除去するステップ及び前記配置するステップが同時に行われることを特徴とする請求項１９に記載の方法。
【請求項２４】
更に、前記除去ステップの前に、前記骨の前記髄腔から前記内視鏡を取り出すステップを含むことを特徴とする請求項１９に記載の方法。
【請求項２５】
アクセスホールが画定された上部壁と、下方に延びた一対の側壁とを有する本体を含むことを特徴とする組織エキスパンダー。
【請求項２６】
前記上部壁及び下方に延びた前記一対の側壁が半管状構造を画定していることを特徴とする請求項２５に記載の組織エキスパンダー。
【請求項２７】
前記上部壁及び下方に延びた前記一対の側壁が非弓形構造を画定していることを特徴とする請求項２５に記載の組織エキスパンダー。
【請求項２８】
前記本体が、前記アクセスホールの外周部に面取り部分を有することを特徴とする請求項２５に記載の組織エキスパンダー。
【請求項２９】
前記本体が、その本体に画定されたボスを有しており、前記アクセスホールが前記ボスを貫通していることを特徴とする請求項２５に記載の組織エキスパンダー。
【請求項３０】
更に、前記アクセスホールを覆う可撓性シールを含むことを特徴とする請求項２５に記載の組織エキスパンダー。
【請求項３１】
前記本体が細長いトンネル構造を画定していることを特徴とする請求項２５に記載の組織エキスパンダー。
【請求項３２】
前記本体の前記上部壁に複数のアクセス孔が形成されており、これらのアクセス孔がねじ整合ジグの複数のガイド孔と整合するように配置されることを特徴とする請求項２５に記載の組織エキスパンダー。
【請求項３３】
前記本体が、その本体から延びたフランジを有しており、前記フランジが骨プレートの開口内に受容されるように形成されていることを特徴とする請求項２５に記載の組織エキスパンダー。
【請求項３４】
更に、骨プレートを前記本体に固定するための手段を含むことを特徴とする請求項２５に記載の組織エキスパンダー。
【請求項３５】
骨プレートをプレート固定器具に固定するための装置であって、
前記骨プレートの開口内に受容されるように形成された、前記プレート固定器具から延びたフランジを含むことを特徴とする装置。
【請求項３６】
前記プレート固定器具にねじ止め具が回動可能に結合されており、
前記骨プレートの前記開口がスロットを画定しており、
前記フランジが前記スロット内に受容されるように形成されており、
前記ねじ止め具が、前記骨プレートのねじ孔にねじ係合するように形成されていることを特徴とする請求項３５に記載の装置。
【請求項３７】
前記スロットが前記骨プレートの第１の端部に画定されており、前記ねじ孔が前記骨プレートの第２の端部に画定されていることを特徴とする請求項３６に記載の装置。
【請求項３８】
前記フランジが前記プレート固定器具に対して回動可能であり、
前記骨プレートが、前記回動可能なフランジが第１の位置に配置されているときは、前記プレート固定器具に固定されており、
前記骨プレートが、前記回動可能なフランジが第２の位置に配置されているときは、前記プレート固定器具から解放されていることを特徴とする請求項３５に記載の装置。
【請求項３９】
前記骨プレートの前記開口が孔を画定しており、
前記回動可能なフランジが前記孔の中に受容されるように形成されていることを特徴とする請求項３８に記載の装置。
【請求項４０】
更に、シャフトを含み、
前記シャフトが前記プレート固定器具から外向きに延びており、
前記回動可能なフランジが前記シャフトに固定されていることを特徴とする請求項３８に記載の装置。
【請求項４１】
更に、回動可能なサムホイールを含み、
前記シャフトの第１の端部が前記サムホイールに固定されており、
前記シャフトの第２の端部が前記回動可能なフランジに固定されていることを特徴とする請求項４０に記載の装置。
【請求項４２】
前記シャフトが前記骨プレートの前記孔を貫通していることを特徴とする請求項４０に記載の装置。
【請求項４３】
更に、一対の位置合わせタブを含み、
前記骨プレートが、前記骨プレートが前記プレート固定器具に固定されるときに、前記一対の位置合わせタブ間に配置可能であることを特徴とする請求項３８に記載の装置。
【請求項４４】
更に、整合フックを含み、
前記整合フックが、前記骨プレートが前記プレート固定器具に固定されるときに、前記骨プレートに係合することを特徴とする請求項３８に記載の装置。
【請求項４５】
更に、前記プレート固定器具に移動可能に結合されたサドルを含み、
前記回動可能なフランジが前記サドルに回動可能に固定されていることを特徴とする請求項３８に記載の装置。
【請求項４６】
前記サドルが前記プレート固定器具に対してスライド可能に結合されていることを特徴とする請求項４５に記載の装置。
【請求項４７】
骨プレート固定装置のねじ整合ジグであって、
第１の端部にガイド孔、第２の端部に取付け部材を有する細長い本体を含み、
前記取付け部材が、前記ガイド孔が組織エキスパンダーのアクセス孔に整合するように、前記本体を前記骨プレート固定装置に固定できるように形成されていることを特徴とするねじ整合ジグ。
【請求項４８】
前記取付け部材が、前記骨プレート固定装置の開口内に受容されるように形成されたピンを含むことを特徴とする請求項４７に記載のねじ整合ジグ。
【請求項４９】
骨プレート固定装置のねじ整合ジグであって、
ガイド孔を有する細長い本体と、
前記細長い本体を前記骨プレート固定装置に対して移動するための機構とを含むことを特徴とするねじ整合ジグ。
【請求項５０】
前記機構が、前記ガイド孔が組織エキスパンダーの複数のアクセス孔と整合するように前記細長い本体を移動させることができるように構成されていることを特徴とする請求項４９に記載のジグ。